(57)【要約】騒音の少ない手持ち動力工具および手持ち動力工具のアタッチメントを提供することを目的としている。  動力により駆動する駆動部を有する工具本体と、駆動部に装着され駆動部の駆動によって工作対象物に作用する作用部を有する作用体とを備える手持ち動力工具において、駆動部を囲むように設けられたハウジングおよび作用体の少なくともいずれか一方の一部が、空気層と透湿性樹脂層とを備える吸音構造体によって覆われていることを特徴としている。
2004110701.tif 000002
【特許請求の範囲】
【請求項１】
動力により駆動する駆動部を有する工具本体と、駆動部に装着され駆動部の駆動によって工作対象物に作用する作用部を有する作用体とを備える手持ち動力工具において、
駆動部を囲むように設けられたハウジングおよび作用体の少なくともいずれか一方の一部が、空気層と透湿性樹脂層とを備える吸音構造体によって覆われていることを特徴とする手持ち動力工具。
【請求項２】
吸音構造体が、透湿性樹脂層と内部に空気層を有する繊維シート層とからなる透湿性シート材料で形成されている請求項の範囲１に記載の手持ち動力工具。
【請求項３】
２ｋＨｚ〜６ｋＨｚの周波数バンドの騒音を低下させる請求項の範囲１または請求項の範囲２に記載の手持ち動力工具。
【請求項４】
作用部を有し、手持ち動力工具の駆動部に着脱自在な手持ち動力工具用のアタッチメントにおいて、少なくとも一部が空気層と透湿性樹脂層とを備える吸音構造体によって覆われていることを特徴とするアタッチメント。
【発明の詳細な説明】
【技術分野】
【０００１】  本発明は、手持ち動力工具およびそのアタッチメントに関する。
【背景技術】
【０００２】  インパクトレンチ、オイルパルスレンチ、チッピングハンマ、スケーリングハンマ、エアーサンダ等の手持ち動力工具が従来から使用されている。【０００３】  この手持ち動力工具として衝撃式回転ねじ締め工具の１種であるインパクトレンチは、衝撃力発生機構としてのハンマによる被駆動軸（アンビル）への打撃が１秒間に約１５回生じ、これが連続して行われ、鉄鋼材料でできたハンマと被駆動軸とが激しく衝突することにより、大きな回転力が発生してねじ締め、緩めを行うようになっている。【０００４】  そして、ねじ締め、緩めを行うときに周波数の高い衝撃音が発生するが、この衝撃音はハウジング内部の空気を振動させ、また打撃時の振動は被駆動軸の軸受け部を通して衝撃力発生機構を内蔵しているハウジングに伝わり、ハウジングの振動がその周りの空気を振動させることによって、騒音が発生するようになっている。【０００５】  また、被駆動軸と、それに嵌め込まれたアタッチメントとしてのソケット（衝撃力伝達要素）との間、およびソケットと六角ボルトまたは六角ナットの六角形の頭との間に遊びがあるため、これらの遊び箇所においても衝撃力発生機構による打撃に続いて発生する被駆動軸によるソケットの打撃時、およびソケットによるねじの打撃時に生じるソケットの振動がその周囲の空気を振動させることによって、騒音が発生するようになっている。【０００６】  一方、オイルパルスレンチの場合、衝撃力発生機構であるオイルシリンダとベーンとの摩擦による振動が衝撃力発生機構を内蔵しているハウジングに伝わってハウジングも振動し、工具の周囲の空気を振動させることによって、騒音が発生するようになっている。
チッピングハンマやスケーリングハンマの場合、シリンダ内を往復移動するピストンの先端が往動時に往動方向に設けられた作用部を備えたアタッチメントとしてのチゼル（衝撃力伝達要素）の後端を打撃するとき、またそれに続くチゼルが工作対象物を打撃する時にもインパクトレンチの場合と同様にハウジングやチゼルの振動によって、その周囲に騒音が発生するようになっている。【０００７】  エアーサンダの１つであるダブルアクションサンダの場合、エアーモータの回転時にベーンとシリンダが擦れることによる振動や、バランスシャフトが偏心回転する際にそれがハウジング内の空気を撹拌する音の振動が、その駆動部の周囲を囲っているハウジングに伝わり、そのハウジングの振動によってハウジングの外側の空気を振動させることによって、その周囲に騒音が発生するようになっている。【０００８】  そこで、ハウジングの外周にシート状のゴムを巻き付けたり、ハウジングの外周にスポンジを巻き付けるとともに、スポンジの外側にゴムカバーを施しハウジング内で発生する騒音を吸音させるようにした手持ち動力工具が既に提案されている（特許文献１等参照）。
しかし、上記の手持ち工具のような吸音構造では、十分な吸音効果を発揮せず、依然として大きな騒音が外部に漏れ出ているのが現状である。【０００９】
【特許文献１】特開平９−１０９０４４号公報
【発明の開示】
【発明が解決しようとする課題】
【００１０】  本発明は、上記事情に鑑みて、騒音の少ない手持ち動力工具およびアタッチメントを提供することを目的としている。
【課題を解決するための手段】
【００１１】  上記目的を達成するために、本発明にかかる手持ち動力工具は、動力により駆動する駆動部を有する工具本体と、駆動部に装着され駆動部の駆動によって工作対象物に作用する作用部を有する作用体とを備える手持ち動力工具において、駆動部を囲むように設けられたハウジングおよび作用体の少なくともいずれか一方の一部が、空気層と透湿性樹脂層とを備える吸音構造体によって覆われていることを特徴としている。【００１２】  本発明の手持ち動力工具において、吸音構造体は、請求項２のように、透湿性樹脂層と内部に空気層を有する繊維シート層とからなる透湿性シート材料で形成されていることが好ましい。さらに、請求項３のように、人間の聴覚感度の高い周波数バンドである２ｋＨｚ〜６ｋＨｚの周波数バンドの騒音を低下させることが好ましく、人間の聴覚感度のもっとも高い領域である３ｋＨｚ〜５ｋＨｚ（１９９９年工業調査会発行の「わかりやすい静音化技術」ｐ４２参照）の周波数バンドの騒音を低下させることがより好ましい。【００１３】  一方、本発明にかかるアタッチメントは、手持ち動力工具の駆動部に着脱自在な作用部を有する手持ち動力工具用のアタッチメントにおいて、少なくとも一部が空気層と透湿性樹脂層とを備える吸音構造体によって覆われていることを特徴としている。【００１４】  本発明において、手持ち動力工具としては、特に限定されず、たとえば、インパクトレンチ、オイルパルスレンチ等の衝撃式回転ねじ締め工具、チッピングハンマ、スケーリングハンマ等の衝撃式往復動工具、ナットランナ、ラチェットレンチ等の非衝撃式回転ねじ締め工具、ダブルアクションサンダ、オービタルサンダ、グラインダ、ディスクサンダ、ポリッシャ、ベルトサンダ等の非衝撃式回転研磨・磨き工具、レシプロソー等の非衝撃式往復切断工具などが挙げられ、その駆動方式としては、エアー駆動式、電動式（充電タイプも含む）のものが挙げられる。【００１５】  駆動部とは、ハンマおよび被駆動軸受撃部、オイルシリンダおよびベーン部分やモータ部分だけでなく、減速手段、ピストン摺動部、バランスシャフト部分（バランスをとるためのものでカウンタウェイト、バランスウェイト等）などの部分が含まれる。
本発明において作用部とは、駆動部の駆動によって回転、往復動等を行うことによって、工作対象物に作用する部分を言い、たとえば、ボルト頭部やナットが嵌まり込むソケットの穴、チゼルの先端、鋸刃の刃先、ディスクの研削面などが挙げられ、このような作用部を備えた作用体としてのソケット、チゼル、鋸刃、ディスク等は、駆動部と一体構造あるいはビス止め等によって直結されていても構わないし、駆動部に着脱自在なアタッチメントとなっていても構わない。【００１６】  本発明において、透湿性樹脂とは、水蒸気は透過するが、防水性を備えたものであれば、特に限定されないが、たとえば、四フッ化エチレン樹脂等のフッ素樹脂、ポリウレタン樹脂、ポリエチレン樹脂、ポリアミノ酸ウレタン樹脂等の微多孔質体、あるいは、無孔の吸湿性変性ポリウレタン樹脂が挙げられる。【００１７】  微多孔質樹脂の孔径としては、特に限定されないが、０．１〜１０μｍ程度が好ましく、１〜１０μｍ程度がより好ましい。
透湿性樹脂層の厚みとしては、特に限定されないが、１０〜８５μｍ程度が好ましい。【００１８】  透湿性樹脂層の透湿度は、特に限定されないが、３０００ｇ／ｍ２・ｄａｙ以上１００００ｇ／ｍ２・ｄａｙ以下が好ましい。【００１９】  空気層は、特に限定されないが、たとえば、ハウジングと、透湿性樹脂層との間に柱状のスペーサを設け、このスペーサによって透湿性樹脂層と、ハウジングとの間に空気層となる隙間を形成する方法や、透湿性樹脂層とハウジングとの間に合成繊維あるいは天然繊維の織編物や不織布等の内部に空気層を含む繊維構造材を介在させる方法等が挙げられる。
なお、吸音構造体としては、透湿性樹脂層と空気層を構成する繊維構造材とが予めシート状に一体成形されている市販の透湿性シート材料を用いるようにしても構わない。【００２０】  上記のような透湿性シート材料としては、たとえば、ゴアテックス社製ゴアテックスメンブレン（ゴアテックスは登録商標）、日東電工社製ミクロテックス（ミクロテックスは登録商標）等の微多孔質のフッ素樹脂フィルムを合成繊維または天然繊維を使用した編織物（基布）、不織布、フェルト、ネットなどに接着剤によって貼り合わせた微多孔質体ラミネートタイプのもの、ポリアミノ酸ウレタン樹脂や東レコーテックス社製エントラント（エントラントは登録商標）等のポリウレタン樹脂を有機溶剤に溶かした樹脂溶液を織編物の片面にコーティングしたのち脱溶媒および凝固によって微多孔質の透湿性樹脂層を形成するコーティングタイプのもの、特開２００２−３０５７６号公報に開示されているような吸湿性変性ポリウレタン（無孔親水性ウレタン樹脂）、特殊ポリエステル樹脂、疎水性のポリアミノ酸樹脂のフィルム等を合成繊維または天然繊維を使用した編織物（基布）、不織布、フェルト、ネットなどに接着剤によって貼り合わせた無孔透湿性樹脂ラミネートタイプのもの、吸湿性変性ポリウレタン（無孔親水性ウレタン樹脂）、特殊ポリエステル樹脂、疎水性のポリアミノ酸樹脂を合成繊維または天然繊維を使用した編織物（基布）、不織布、フェルト、ネットなどに塗布するコーティングタイプのものなどが挙げられる。
【発明の効果】
【００２１】  本発明にかかる手持ち動力工具は、以上のように構成されているので、従来の手持ち動力工具に比べ、騒音が少なく、静かな作業環境で作業を行うことができる。【００２２】  また、吸音構造体が、透湿性樹脂層と内部に空気層を有する繊維シート層とからなる透湿性シート材料で形成されているようにすれば、容易に製造することができる。【００２３】  さらに、人間の聴覚感度の高い周波数バンドである２ｋＨｚ〜６ｋＨｚの周波数域の騒音を低下させるようにすれば、もっとも効率よく作業者に騒音による不快感を催させなくすることができる。【００２４】  一方、本発明にかかるアタッチメントは、以上のように構成されているので、工作対象物と作用部との間で発生する騒音も抑えることができ、より騒音を低減できるとともに、既存の手持ち動力工具に装着すれば、既存の手持ち動力工具の騒音を低減させることができる。
【発明を実施するための最良の形態】
【００２５】  以下に、本発明を、その実施の形態をあらわす図面を参照しつつ詳しく説明する。
図１は、本発明にかかる手持ち動力工具の１例としてのインパクトレンチをあらわしている。【００２６】  図１に示すように、このインパクトレンチＡは、工具本体１ａと、作用部を備えたアタッチメントとしてのソケット２ａとを備えている。
工具本体１ａは、アルミニウム製のハウジング３ａ内にモータ４１および被駆動軸４２を有する駆動部４ａが設けられ、被駆動軸４２の先端にソケット２ａが着脱自在に設けられている。【００２７】  そして、ハウジング３ａの周囲は、２〜１０ｍｍ程度の厚みの不織布５と、透湿性シート材料６とからなる吸音構造体９によって覆われている。
透湿性シート材料６は、図２に示すように、ジャパンゴアテックス社製ゴアテックスメンブレン（ゴアテックスは登録商標）、日東電工社製ミクロテックス（ミクロテックスは登録商標）等の微多孔性樹脂からなる透湿性樹脂層６１と、不織布等からなる繊維シート６２とが積層された市販品のものが用いられていて、繊維シート６２側を不織布５側に向けて不織布５の周囲に巻回されている。【００２８】  透湿性シート材料６の周囲には、透湿性シート材料６および不織布５を汚れや破損等から保護するための樹脂プロテクタ７ａが被されている。
樹脂プロテクタ７ａは、工具本体１ａを覆うように設けられた工具本体カバー部７１と、ソケット２ａの部分を囲むように設けられた筒状をしたソケットカバー部７２とを一体に備えている。【００２９】  ソケットカバー部７２は、透湿性シート材料６および不織布５がその内周面に積層されていて、その内径がハウジング３ａ中心部から延出している被駆動軸４２の先端４２ａに装着される最大径のソケット２ａの外径より大きくなっている。
そして、このインパクトレンチＡは、ねじ締めあるいは緩めを行おうとする工作対象物としてのボルト８あるいはナットの径に適合するソケット２ａを被駆動軸４２の先端４２ａにセットしたのち、ソケット２ａの作用部としての穴２０内にボルト８の頭部８１を臨ませ、エアーによりモータ４１を回転させて、その回転駆動力によって被駆動軸４２を介してソケット２ａを回転させて、ねじ締めあるいは緩めを行うようになっている。【００３０】  このインパクトレンチＡは、以上のように、工具本体１ａの駆動部４ａの周囲に透湿性シート材料６が巻回されているので、ハンマ４３が被駆動軸４２を打撃する時に発生する衝撃的な騒音とともに、モータ回転時に発生する擦過音等のハウジング３ａ内で発生する騒音を低減する。したがって、防音効果が高いものとなる。【００３１】  すなわち、ハウジング３ａ内で発生した騒音は、まず多孔質型吸音材の一種である不織布５の内部に伝わり、不織布５内部にある小さい孔内の空気を振動させることによって、音のエネルギーが熱エネルギーに変換されて騒音が少し減少する。そして、不織布５によって吸収されなかった騒音は、音のエネルギーが透湿性シート材料６の繊維シート６２の内部の空気層によってさらに熱エネルギーに変換されたのち、透湿性樹脂層６１に設けられた微細孔によって共鳴吸収され広い周波数範囲に亙っての吸音がなされる。【００３２】  しかも、被駆動軸４２の先端４２ａに装着されたソケット２ａが、ソケットカバー部７２によって囲まれるとともに、ソケットカバー部７２の内周面に、透湿性シート材料６および不織布５がその内周面に積層されているので、被駆動軸４２によるソケット２ａへの打撃およびソケット２ａによるボルト頭部８１への打撃によって生じる打撃音が不織布５および透湿性シート材料６によって吸音される。
したがって、騒音の軽減効果が大きくなり、静かな作業環境を得ることができる。【００３３】  また、吸音構造体９が、透湿性樹脂層６１と、不織布等からなる繊維シート６２とが積層された透湿性シート材料６によって形成されているので、本発明のインパクトレンチＡを容易に製造することができる。
なお、上記インパクトレンチＡの場合、樹脂プロテクタ７ａの工具本体カバー部７１とソケットカバー部７２とが一体になっていたが、ソケットカバー部７２を工具本体カバー部７１に対して着脱自在とし、異なる径のソケット２ａに交換するごとに、そのソケット２ａの外径に適合したソケットカバー部７２に交換するようにしても構わない。このようにすれば、ソケット２ａの部分で発生する騒音をより小さくすることができる。【００３４】  図３は本発明にかかる手持ち動力工具の１例としての他のインパクトレンチおよび本発明にかかるアタッチメントの１例としてのソケットをあらわしている。
図３に示すように、このインパクトレンチＢは、樹脂プロテクタ７ｂがソケットカバー部を備えていないとともに、ソケット２ｂが、ソケット本体２１の周囲に不織布５および透湿性シート材料６が積層された構造をしている以外は、上記インパクトレンチＡと同様になっている。【００３５】  このインパクトレンチＢは、以上のように、樹脂プロテクタ７ｂがソケットカバー部を備えておらず、ソケット本体２１の周囲に不織布５および透湿性シート材料６が積層された本発明のアタッチメントであるソケット２ｂが装着されるようになっているので、ソケット２ｂの径の制限がなく、すなわち大きな径のソケット２ｂも装着することができる。したがって、ソケット２ｂを交換すれば，上記のインパクトレンチＡに比べ、１種類のインパクトレンチＢのみでいろいろな径のボルトナットを締め込んだり緩めたりすることができる。
また、ソケット２ｂは、ソケット本体２１の周囲に不織布５および透湿性シート材料６が積層された状態になっているので、既存のインパクトレンチに装着すれば、既存のインパクトレンチの騒音の発生を低減することができる。なお、図３中、１ａは工具本体である。【００３６】  図４は、本発明にかかる手持ち動力工具の１例としてのオイルパルスレンチをあらわしている。
図４に示すように、このオイルパルスレンチＣは、工具本体１ｃの駆動部４ｃを覆うハウジング３ｃと透湿性シート材料６との間に不織布５の層が設けられていない以外は、上記インパクトレンチＢと同じ吸音構造を備えている。【００３７】  このオイルパルスレンチＣは、以上のように、不織布５の層が設けられていないので、不織布５の層が設けられたものに比べ、小型化することができる。
なお、図４中、７ｃは樹脂プロテクタである。【００３８】  図５は本発明にかかる手持ち動力工具の１例としてのチッピングハンマをあらわしている。
図５に示すように、このチッピングハンマＤは、工具本体１ｄのハウジング３ｄと、駆動部４ｄのシリンダ部４５と、作用部を備えたアタッチメントとしてのチゼル２ｄのシリンダ挿入部側２３を囲む部分とが、内面にそれのみで吸音構造体となる透湿性シート材料６が貼着された樹脂プロテクタ７ｄで覆われている。そして、図５および図６に示すように、チゼル２ｄが、チゼル本体２５の作用部となる先端部およびシリンダ挿入部側を除き、吸音構造体となる透湿性シート材料６で覆われている。【００３９】  したがって、ハウジング３ｄ内で発生する騒音およびチゼル２ｄが工作対象物（図示せず）の表面を切削する際のチゼル２ｄの振動によって生じる騒音も吸音構造体としての透湿性シート材料６によってうまく吸音して騒音を少なくすることができる。
また、チゼル２ｄは、チゼル本体２５の作用部となる先端部およびシリンダ挿入部側を除き、透湿性シート材料６で覆われているので、既存のチッピングハンマに装着すれば、既存のチッピングハンマの騒音の発生を低減することができる。【００４０】  図７は、本発明にかかる手持ち動力工具の１例としてのナットランナをあらわしている。
図７に示すように、このナットランナＥは、工具本体１ｅの駆動部４ｅを覆うハウジング３ｅと透湿性シート材料６との間に不織布５の層が設けられていない以外は、上記インパクトレンチＢと同じ吸音構造を備えている。なお、図７中、２ｅはアタッチメントとしてのソケット、７ｅは樹脂プロテクタである。【００４１】  図８は、本発明にかかる手持ち動力工具の１例としてのラチェットレンチをあらわしている。
図８に示すように、このラチェットレンチＦは、工具本体１ｆの駆動部４ｆを覆うハウジング３ｆと透湿性シート材料６との間に不織布５の層が設けられていない以外は、上記インパクトレンチＢと同じ吸音構造を備えている。
なお、図８中、７ｆは樹脂プロテクタである。【００４２】  図９は、本発明にかかる手持ち動力工具の１例としてのダブルアクションサンダをあらわしている。
図９に示すように、このダブルアクションサンダＧは、工具本体１ｇの駆動部４ｇを覆うハウジング３ｇと透湿性シート材料６との間に不織布５の層が設けられていない以外は、上記インパクトレンチＢと同じ吸音構造を備えている。なお、図９中、２ｇはアタッチメントとしてのディスク、７ｇは樹脂プロテクタである。【００４３】  図１０は、本発明にかかる手持ち動力工具の１例としてのレシプロソーをあらわしている。
図１０に示すように、このレシプロソーＨは、工具本体１ｈの駆動部４ｈを覆うハウジング３ｈと透湿性シート材料６との間に不織布５の層が設けられていない以外は、上記インパクトレンチＢと同じ吸音構造を備えている。なお、図１０中、２ｈはアタッチメントとしての鋸刃、７ｈは樹脂プロテクタである。【００４４】  図１１は、本発明にかかるアタッチメントの１例としてのソケットの他例および連結棒をあらわしている。
図１１に示すように、このソケット２ｉおよび連結棒２ｊが、連結棒本体２６のソケット嵌合部２７を除き、周囲が透湿性シート材料６で覆われていて、図３に示すようなインパクトレンチＢや既存のインパクトレンチ等に装着することができるようになっている。なお、図１１中、２８はソケット本体である。
【実施例１】
【００４５】  既存のエアーインパクトレンチ（空研社製エアーインパクトレンチＫＷ−１６００Ｓｐｒｏ排気ホース（３０ｃｍ）付き）のハウジングを空気層を形成する厚さ１０ｍｍの不織布（住友スリーエム社製シンサレート（登録商標）ＮＬ２００Ｌ）で覆い、その外側に１．７ｍｍの透湿性シート材料（アンビック社製の商品名ＦＴ０５０３Ｆ（不織布に厚み１５μｍ、透湿度８０００ｇ／ｍ２・２４時間の四フッ化エチレン樹脂多孔質膜（日東電工社製ミクロテックス（ミクロテックスは登録商標））をラミネートしたもの）を巻き、一番外側に工具本体カバー部を取り付けた本発明の手持ち工具の実施例としてのサンプルエアーインパクトレンチを作製した。【００４６】  また、不織布および透湿性シート材料に代えて、厚さ２０ｍｍのポリエーテル系樹脂製吸音フォーム（ブリジストン社製  吸音フォームＶＤ）でハウジングを覆うようにした以外は、上記の本発明のサンプルエアーインパクトレンチと同様にして比較例のサンプルエアーインパクトレンチを作製した。【００４７】  そして、上記のようにして得た実施例および比較例のサンプルエアーインパクトレンチのそれぞれについて、無響室内で固定打撃盤を打撃した時に発生する。騒音を周波数補正回路Ａ特性（ＪＩＳ  Ｃ  １５０５：１９８８）で５秒間データを３回ずつ採取し、それを１／３オクターブ分析し、その各中心周波数での騒音レベルの平均値を求め、その結果を図１２のグラフに示した。なお、マイク位置は、インパクチレンチの幾何学的中心点から距離１ｍの仰角４５°の地点、排気方向は、水平方向で、マイク位置に対して９０°となる方向であった。【００４８】  図１２に示すように、全周波数帯域（ＡＰ：オールパス）での騒音レベルでは値にほとんど違いはなかったが、１／３オクターブ分析では人間の聴覚としてもっとも感度の高い領域である３〜５ｋＨｚ付近のうち、５ｋＨｚで大きな違いが見受けられた。つまり、５ｋＨｚにおいて、比較例では、騒音レベルがすべての周波数バンドにおける最大の８１．６ｄＢであったのに対し、実施例のものは、５ｋＨｚにおいて、騒音レベルが７４．８ｄＢと、比較例のものに比べ、６．８ｄＢの騒音レベルの低下がみられる。また、模擬空調音の上に種々の周波数変調音（ＦＭ音）を重畳させた音についてＳＤ法（Ｓｅｍａｎｔｉｃ  Ｄｉｆｆｅｒｅｎｃｉａｌ  Ｍｅｔｈｏｄ）で評価を求めた結果によると、高い周波数ほど音の評価として「不快である」、「刺々しい」という印象をもつとされている（株式会社フジ・テクノシステム２０００年発行「音の環境と制御技術」第１巻  基礎技術  Ｐ１２８−１３０参照）。【００４９】  したがって、上記のように、人間の聴覚としてもっとも感度の高い周波数領域である３〜５ｋＨｚの中でもっとも「不快である」、「刺々しい」という印象を与える５ｋＨｚの騒音レベルが大きく低下することは、手持ち動力工具を操作する作業者にとって、騒音の不快さを著しく改善することが可能となると言える。
【図面の簡単な説明】
【００５０】［図１］本発明にかかる手持ち動力工具の１例としてのインパクトレンチの断面図である。
［図２］本発明の手持ち動力工具に用いられる透湿性シート材料の断面を模式的にあらわす図である。
［図３］本発明にかかる手持ち動力工具の１例としての他のインパクトレンチの断面図である。
［図４］本発明にかかる手持ち動力工具の１例としてのオイルパルスレンチの断面図である。
［図５］本発明にかかる手持ち動力工具の１例としてのチッピングハンマの断面図である。
［図６］本発明にかかるアタッチメントの１例としてのチゼルであって、同図（ａ）はその一部切欠平面図、同図（ｂ）はその一部切欠側面図である。
［図７］本発明にかかる手持ち動力工具の１例としてのナットランナの断面図である。
［図８］本発明にかかる手持ち動力工具の１例としてのラチェットレンチの断面図である。
［図９］本発明にかかる手持ち動力工具の１例としてのダブルアクションサンダの断面図である。
［図１０］本発明にかかる手持ち動力工具の１例としてのレシプロソーの断面図である。
［図１１］本発明にかかるアタッチメントの１例としてのソケットおよび連結棒をあらわす断面図である。
［図１２］実施例のエアーインパクトレンチと比較例のエアーインパクトレンチの周波数バンド別騒音レベル比較のグラフである。
【符号の説明】
【００５１】Ａ，Ｂ  インパクトレンチ（手持ち動力工具）
Ｃ  オイルパルスレンチ（手持ち動力工具）
Ｄ  チッピングハンマ（手持ち動力工具）
Ｅ  ナットランナ（手持ち動力工具）
Ｆ  ラチェットレンチ（手持ち動力工具）
Ｇ  ダブルアクションサンダ（手持ち動力工具）
Ｈ  レシプロソー（手持ち動力工具）
１ａ，１ｃ〜１ｈ  工具本体
２ａ，２ｂ，２ｅ，２ｉ  ソケット（アタッチメント）
２ｄ  チゼル（アタッチメント）
２ｊ  連結棒（アタッチメント）
３ａ，３ｃ〜３ｈ  ハウジング
４ａ，４ｃ〜４ｈ  駆動部
５  不織布
６  透湿性シート材料
７ａ〜７ｈ  樹脂プロテクタ
８  ボルト（工作対象物）
９  吸音構造体
２０  穴（作用部）
【図１】
2004110701.tif 000003
【図２】
2004110701.tif 000004
【図３】
2004110701.tif 000005
【図４】
2004110701.tif 000006
【図５】
2004110701.tif 000007
【図６】
2004110701.tif 000008
【図７】
2004110701.tif 000009
【図８】
2004110701.tif 000010
【図９】
2004110701.tif 000011
【図１０】
2004110701.tif 000012
【図１１】
2004110701.tif 000013
【図１２】
2004110701.tif 000014
【手続補正書】
【提出日】平成17年4月8日(2005.4.8)
【手続補正００１】
【補正対象書類名】特許請求の範囲
【補正対象項目名】請求項１
【補正方法】変更
【補正の内容】
【請求項１】
動力により駆動する駆動部を有する工具本体と、駆動部に装着され駆動部の駆動によって工作対象物に作用する作用部を有する作用体とを備える手持ち動力工具において、
駆動部を囲むように設けられたハウジングおよび作用体の少なくともいずれか一方の一部が、空気層と、水蒸気は透過するが、防水性を有する透湿性樹脂層とを備える吸音構造体によって覆われていることを特徴とする手持ち動力工具。
【手続補正００２】
【補正対象書類名】特許請求の範囲
【補正対象項目名】請求項２
【補正方法】変更
【補正の内容】
【請求項２】
吸音構造体が、透湿性樹脂層と内部に空気層を有する繊維シート層とからなる透湿性シート材料で形成されている請求の範囲１に記載の手持ち動力工具。
【手続補正００３】
【補正対象書類名】特許請求の範囲
【補正対象項目名】請求項３
【補正方法】変更
【補正の内容】
【請求項３】
２ｋＨＺ〜６ｋＨＺの周波数バンドの騒音を低下させる請求の範囲１または請求の範囲２に記載の手持ち動力工具。
【手続補正００４】
【補正対象書類名】特許請求の範囲
【補正対象項目名】請求項４
【補正方法】変更
【補正の内容】
【請求項４】
作用部を有し、手持ち動力工具の駆動部に着脱自在な手持ち動力工具用のアタッチメントにおいて、少なくとも一部が空気層と、水蒸気は透過するが、防水性を有する透湿性樹脂層とを備える吸音構造体によって覆われていることを特徴とするアタッチメント。
【手続補正００５】
【補正対象書類名】明細書
【補正対象項目名】０００２
【補正方法】変更
【補正の内容】
【０００２】
ル（衝撃力伝達要素）の後端を打撃するとき、またそれに続くチゼルが工作対象物を打撃する時にもインパクトレンチの場合と同様にハウジングやチゼルの振動によって、その周囲に騒音が発生するようになっている。
【０００７】  エアーサンダの１つであるダブルアクションサンダの場合、エアーモータの回転時にベーンとシリンダが擦れることによる振動や、バランスシャフトが偏心回転する際にそれがハウジング内の空気を撹拌する音の振動が、その駆動部の周囲を囲っているハウジングに伝わり、そのハウジングの振動によってハウジングの外側の空気を振動させることによって、その周囲に騒音が発生するようになっている。
【０００８】  そこで、ハウジングの外周にシート状のゴムを巻き付けたり、ハウジングの外周にスポンジを巻き付けるとともに、スポンジの外側にゴムカバーを施しハウジング内で発生する騒音を吸音させるようにした手持ち動力工具が既に提案されている（特許文献１等参照）。
しかし、上記の手持ち工具のような吸音構造では、十分な吸音効果を発揮せず、依然として大きな騒音が外部に漏れ出ているのが現状である。
【０００９】【特許文献１】特開平９−１０９０４４号公報
【発明の開示】
【発明が解決しようとする課題】
【００１０】  本発明は、上記事情に鑑みて、騒音の少ない手持ち動力工具およびアタッチメントを提供することを目的としている。
【課題を解決するための手段】
【００１１】  上記目的を達成するために、本発明にかかる手持ち動力工具は、動力により駆動する駆動部を有する工具本体と、駆動部に装着され駆動部の駆動によって工作対象物に作用する作用部を有する作用体とを備える手持ち動力工具において、駆動部を囲むように設けられたハウジングおよび作用体の少なくともいずれか一方の一部が、空気層と、水蒸気は透過するが、防水性を有する透湿性樹脂層とを備える吸音構造体によって覆われていることを特徴としている。
【００１２】  本発明の手持ち動力工具において、吸音構造体は、請求の範囲２のように、透湿性樹脂層と内部に空気層を有する繊維シート層とからなる透湿性シート材料で形成され


【手続補正００６】
【補正対象書類名】明細書
【補正対象項目名】０００３
【補正方法】変更
【補正の内容】
【０００３】
ていることが好ましい。さらに、請求の範囲３のように、人間の聴覚感度の高い周波数バンドである２ｋＨｚ〜６ｋＨｚの周波数バンドの騒音を低下させることが好ましく、人間の聴覚感度のもっとも高い領域である３ｋＨｚ〜５ｋＨｚ（１９９９年工業調査会発光の「わかりやすい静音化技術」ｐ４２参照）の周波数バンドの騒音を低下させることがより好ましい。
【００１３】  一方、本発明にかかるアタッチメントは、作用部を有し、手持ち動力工具の駆動部に着脱自在な手持ち動力工具用のアタッチメントにおいて、少なくとも一部が空気層と、水蒸気は透過するが、防水性を有する透湿性樹脂層とを備える吸音構造体によって覆われていることを特徴としている。
【００１４】  本発明において、手持ち動力工具としては、特に限定されず、たとえば、インパクトレンチ、オイルパルスレンチ等の衝撃式回転ねじ締め工具、チッピングハンマ、スケーリングハンマ等の衝撃式往復動工具、ナットランナ、ラチェットレンチ等の非衝撃式回転ねじ締め工具、ダブルアクションサンダ、オービタルサンダ、グラインダ、ディスクサンダ、ポリッシャ、ベルトサンダ等の非衝撃式回転研磨・磨き工具、レシプロソー等の非衝撃式往復切断工具などが挙げられ、その駆動方式としては、エアー駆動式、電動式（充電タイプも含む）のものが挙げられる。
【００１５】  駆動部とは、ハンマおよび被駆動軸受撃部、オイルシリンダおよびベーン部分やモータ部分だけでなく、減速手段、ピストン摺動部、バランスシャフト部分（バランスをとるためのものでカウンタウェイト、バランスウェイト等）などの部分が含まれる。
本発明において作用部とは、駆動部の駆動によって回転、往復動等を行うことによって、工作対象物に作用する部分を言い、たとえば、ボルト頭部やナットが嵌まり込むソケットの穴、チゼルの先端、鋸刃の刃先、ディスクの研削面などが挙げられ、このような作用部を備えた作用体としてのソケット、チゼル、鋸刃、ディスク等は、駆動部と一体構造あるいはビス止め等によって直結されていても構わないし、駆動部に着脱自在なアタッチメントとなっていても構わない。
【００１６】  本発明において、透湿性樹脂とは、水蒸気は透過するが、防水性を備えたものであれば、特に限定されないが、たとえば、四フッ化エチレン樹脂等のフッ素樹脂、ポリウレタン樹脂、ポリエチレン樹脂、ポリアミノ酸ウレタン樹脂等の微多孔質体、あるいは、無孔の吸湿性変性ポリウレタン樹脂が挙げられる。




【国際調査報告】
2004110701.tif 000015
2004110701.tif 000016